(57)【要約】      （修正有）【課題】容器の中の粉末を任意に設定した分量だけ毎回取り出せ、空気に触れる時間を短くして新鮮度を保つことが出来る容器のキャップを提供する。【解決手段】キャップ２上部の天井板部１６の１箇所に上方向側に密封された通路４を設け、その通路と一体で繋がっている内筒型出口部３を水平より下向きに傾けて設け、その内筒型出口部の任意の位置に前後にスライドさせてピン１０で固定出来るようにした外筒型出口部７をはめ込み、その外筒型出口部の端部にシャッター１３を設ける。外筒型出口部の位置を変えることにより、通路内の容積を任意に変えることが出来、容器からキャップを取り外さないまま傾けることで粉末を通路内に入り込ませ、再び容器を水平な床に置くことで、本体容器側通路内にあった粉末は本体容器に滑り落ちて戻り、シャッター側通路内には設定した分量だけの粉末が残る。その残った分量だけをシャッターを開けて取り出すことが出来る。【選択図】図２
0003188427.tif 000002
【実用新案登録請求の範囲】
【請求項１】
キャップ上部の天井板部の１箇所に上方向側に密封された通路を設け、その通路と一体で繋がっている内筒型出口部を水平より下向きに傾けて設け、出口端部にシャッターを設けて通路を遮断出来るようにした外筒型出口部を内筒型出口部にはめ込み前後にスライドさせ任意の位置で固定出来るようにして設け、その固定位置を変えることにより通路内の容積を変えられるようにして、通路内に定量の粉粒体を入り込ませ、シャッターを開き取り出すことが出来るようにしたことを特徴とする粉末コーヒーなど粉粒体の入れ容器にかぶせて取り付けるキャップ。
【考案の詳細な説明】
【技術分野】
【０００１】  この考案は、粉末コーヒーのような粉粒体を入れる容器のキャップの形状に関する。
【背景技術】
【０００２】容器に入って一般に市販されている粉末コーヒーなどを飲む場合には、先ずキャップを外し、中に入っている粉末を飲む分だけスプーンですくい出すか、又は容器を片手で持ち容器を傾け振りながら粉末を飲む分だけカップに落として取り出している。しかしこれらの方法はいずれも自分が望む適量分の粉末を取り出すことは難しい為に、飲む度ごとにコーヒーなどの味が違って来て困っている状況であり、合わせて飲む度ごとに容器のキャップを開けなければならない為に、容器の中に入っている粉末などがその都度空気に触れ、新鮮度が失われて行ってしまうことになっている。
【考案の開示】
【考案が解決しようとする課題】
【０００３】  しかしながら以上の技術によれば、いずれも自分が望む味のコーヒーなどを飲む度ごとに、必ず決まった分量を取り出すことは困難であり、又容器のキャップを必ず開けることから新鮮度の維持が難しい状態となっている。そこでこの考案は、容器の中に入っている粉末などを任意に設定した分量だけを必ず簡単に取り出すことが出来、しかも容器の中に入っている粉末などが空気に触れる時間を出来るだけ短くして新鮮度を保つことが出来る、粉粒体などを入れる容器のキャップを提供することを課題とする。
【課題を解決するための手段】
【０００４】  以上の課題を解決するために本考案のキャップは、キャップ上部の天井板部の１箇所に上方向側に密封された通路を設け、その通路と一体で繋がっている内筒型出口部を水平より下側に傾けて設け、その内筒型出口部の任意の位置に固定出来るようにした外筒型出口部をはめ込み、その出口端部にシャッターを設けて通路を密封出来るようにし、外筒型出口部の位置を前後にスライドさせ、通路内の容積を任意に変えることが出来るようにすることで、容器からキャップを取り外さないままで容器を片手で持ち容器を傾けることで粉末などが通路内に入り込み、再び容器を水平な床に置くことで、設定した分量だけの粉末などが通路内に残り、シャッターなどを手で開けてその残った分量だけを取り出すことが出来るようにする。
【考案の効果】
【０００５】  本考案によれば、外筒型出口部を自分が定める位置に設定するだけで、自分が望む分量だけの粉末などを容器内から簡単に取り出すことが出来るようになったことから、常時自分が好む味のコーヒーなどを飲むことが出来るようになった。併せて、シャッターを開けるだけで容器から粉末などを取り出せるので、従来のキャップを取り外して粉末などを取り出す方法よりも粉末などが空気に触れる時間が格段に短くなったことから、粉末などの新鮮度の保持を著しく向上させることが出来るようになった。
【考案を実施するための最良の形態】
【０００６】  この考案の実施形態を図面に基づき説明する。
図１は本考案のキャップ２の実施形態を表した平面図である。図２は本考案のキャップ２を本体容器１に取り付けた状態での図１のＡ−Ａ断面図であり、キャップ２の天井板部１６の上方向に１箇所の密封された通路４を設け、通路４と連続に繋がる通路５を有する内筒型出口部３をキャップ２と一体で水平より下向きに傾けて設け、内筒型出口部３に被せて前後に移動出来る外筒型出口部７を設けてピン１０でプレート８を固定し、ロックねじ９を締めたり緩めたりすることでプレート８をキャップ２に固定したり前後にスライドが出来るようにして、通路１５を有した外筒型出口部７をキャップ２と一体の内筒型出口部３に取り付けてある。外筒型出口部７にはピン１２及びばね１１によりシャッター１３が常に外筒型出口部７の出口部を塞ぐ形で取り付けてある。内筒型出口部３及び外筒型出口部７にはシール６及び１４が取り付けてある。図３は図１のＡ−Ａ断面図であり、キャップ２と一体の内筒型出口部３に被せて取り付けた外筒型出口部７を、図２の状態よりＫの分だけスライドさせて前に出して固定し、通路１５の容積を広くした状態の図である。図４は本考案のキャップ２を取り付けた本体容器１を手で持ちながら傾けて、粒粉体１７を通路４及び通路５及び通路１５に落とし入れた状態の図である。図５は図４の状態にした後で本体容器１を床に置き、シャッター１３を手で開くことで、通路５及び通路１５に残っている分だけの粉粒体１７をカップ１８に落とすことが出来る状態の図である。
【実施形態の効果】
【０００７】この実施形態によれば、本考案のキャップは、外筒型出口部を自分が定める位置に固定し、キャップを取り付けたままの本体容器を手で持ちながら傾けた後で、本体容器を床に置きシャッターを開くことで、コーヒーなどの粉粒体を自分が望む分量だけを毎回容器内から簡単に取り出すことが出来るので、常時自分が好む味のコーヒーなどを飲むことが出来るようになった。併せて、シャッターを開けるだけで容器から粉粒体などを取り出せるので、従来のキャップを取り外して粉粒体などを取り出す方法よりも粉粒体が空気に触れる時間が格段に短くなることから、粉粒体などの新鮮度の保持を著しく向上させることが出来る。
【図面の簡単な説明】
【０００８】
【図１】本考案の実施形態を表した平面図である。［符号の説明］
【０００９】  ２  キャップ
【図２】本考案の実施形態を表した［図１］のＡ−Ａ断面図である。［符号の説明］
【００１０】  １  本体容器        ２  キャップ    ３  内筒型出口部      ４  通路
５  通路            ６  シール      ７  外筒型出口部      ８  プレート
９  ロックねじ    １０  ピン      １１  ばね            １２  ピン
１３  シャッター    １４  シール    １５  通路            １６  天井板
【図３】本考案の実施形態を表した［図１］のＡ−Ａ断面図である。［符号の説明］
【００１１】  ２  キャップ    ３  内筒型出口部    ７  外筒型出口部    １５  通路
Ｋ  スライド長さ
【図４】粒粉体を入れた本体容器に本考案のキャップを取り付け、傾けた状態の［図１］のＡ−Ａ断面の傾斜図である。［符号の説明］
【００１２】  １  本体容器    ２  キャップ    ４  通路    ５  通路    １５  通路
１７  粉粒体
【図５】［図４］を垂直にした状態で床に置き、カップを脇に置いた図である。［符号の説明］
【００１３】  １  本体容器    ２  キャップ      ５  通路      １３  シャッター
１５  通路      １７  粉粒体      １８  カップ
【図１】
0003188427.tif 000003
【図２】
0003188427.tif 000004
【図３】
0003188427.tif 000005
【図４】
0003188427.tif 000006
【図５】
0003188427.tif 000007